(57)【要約】【課題】多種多様な大きさ、形状、構造の容器に対して、容易且つ確実に装着することができ、その転倒を確実に防止することができる容器転倒防止具を提供すること。【解決手段】一対の挟持用アーム１０，３０を、支点Ｓ１を中心に開閉自在に接続する。挟持用アーム１０，３０の支点Ｓ１よりも先端側部分を挟持部１１，３１、支点Ｓ１よりも末端側部分を把持部１３，３３とする。把持部１３，３３間の間隔を狭めることで挟持部１１，３１間の間隔を広げる構成とする。支点Ｓ１を中心に挟持部１１，３１の先端が閉じる方向に弾発する弾発手段６０を設置する。挟持部１１，３１によって挟持された容器Ａの転倒を防止する転倒防止用脚部２１，４１を、挟持部１１，３１よりも下方に設置する。転倒防止用脚部２１，４１は、挟持部１３，３３を上から見てこれら挟持部１３，３３よりも左右に張り出している。【選択図】図２
2020121743.tif 000002
【特許請求の範囲】
【請求項１】
一対の挟持用アームを、支点を中心に開閉自在に接続し、
前記両挟持用アームの前記支点よりも先端側部分を挟持部、前記支点よりも末端側部分を把持部として、両把持部間の間隔を狭めることで両挟持部間の間隔を広げる構成とし、
前記両挟持用アームを、前記支点を中心に両挟持部の先端が閉じる方向に弾発する弾発手段を設置し、
前記両挟持部に、これら挟持部よりも下方に設置されてこれら挟持部によって挟持された容器の転倒を防止する転倒防止用脚部を取り付けたことを特徴とする容器転倒防止具。
【請求項２】
請求項１に記載の容器転倒防止具であって、
前記転倒防止用脚部は、両挟持部を上から見てこれら挟持部よりも左右に張り出していることを特徴とする容器転倒防止具。
【請求項３】
請求項１又は２に記載の容器転倒防止具であって、
前記両挟持部の対向する内側の辺には、第１の容器保持部が設けられ、
さらに前記両挟持部の対向する内側の辺の前記第１の容器保持部の先端側には、前記第１の容器保持部とは形状の異なる第２の容器保持部が設けられていることを特徴とする容器転倒防止具。
【発明の詳細な説明】
【技術分野】
【０００１】
本発明は、詰替え容器などの容器の転倒を防止するのに用いて好適な容器転倒防止具に関するものである。
【背景技術】
【０００２】
従来、シャンプー、液体洗剤、化粧水等の液体を充填した容器を詰替え可能な詰替え容器とし、この詰替え容器内の液体が無くなったときは、別途用意した詰替え用袋からこの詰替え容器内に同様の液体を充填する（詰替える）ことが行われている。
【０００３】
しかし、前記詰替え用袋は、一般的に柔らかい素材で構成されているので、通常はこの詰替え用袋を両手で保持して前記詰替え作業を行うことになる。ほとんどの場合、液体には粘性があるので、前記詰替え作業もある程度の時間を要することになるが、この間、両手を前記詰替え用袋に添えるため、空になっている前記詰替え容器を手で保持しておくことが困難になる。このため、保持の全く無い状態の前記詰替え容器は、転倒及び液体溢流の虞が常に伴うことになる。
【０００４】
また近年の詰替え容器は、多種多様な大きさ、形状、構造のものが市販されている。トリガー式、ポンプ式等はそのキャップ部分を完全に取り除けば、吸盤付き漏斗を使用して比較的安定して詰替え作業を終えることができる。しかし吸盤付き漏斗の場合、吸盤を吸着させる壁面近傍での使用に限定されてしまう。また、キャップがそのまま計量カップとして機能する洗濯用洗剤の容器に至っては、容器の注ぎ口が前記吸盤付き漏斗そのものを受け付けない形状となっている。つまり吸盤付き漏斗が使用できないので、詰替え時の容器転倒の危険からは脱し得ない。
【０００５】
上記問題を解決するものとして、例えば特許文献１に記載の容器の転倒防止具がある。この転倒防止具は、矩形状シート材（１）を折り曲げ線（２）で折り曲げてその両端辺を糊代面部（１８）で接着し、その上部に上部押圧用片（９，１０）を設け、またその中間位置に兼用片（１３，１６）を設け、側面部（３，４）の左右の側縁を押圧して撓ませて上部押圧用片（９，１０）を開口し、その開口部から詰替え容器（Ａ）を挿入して上部押圧用片（９，１０）または兼用片（１３，１６）により固定する構造を有している。
【先行技術文献】
【特許文献】
【０００６】
【特許文献１】特開２０１４−２０１３６４号公報
【発明の概要】
【発明が解決しようとする課題】
【０００７】
しかし、上記特許文献１に記載の転倒防止具は、矩形状シート材（１）を筒状に形成した構造なので、詰替え容器（Ａ）を挿入する開口部の内径寸法を、それほど大きく変更することができない。このため例えば、大型の詰替え容器（例えば容器の底が広く台形状となっていて、さらに側壁に取っ手が付いているような詰替え容器）を挿入することができない場合が生じる。また大型の詰替え容器が挿入できる開口部の内径寸法とすると、逆に小型の詰替え容器に対応することができないという問題があった。
【０００８】
本発明は上述の点に鑑みてなされたものでありその目的は、多種多様な大きさ、形状、構造の容器に対して、容易且つ確実に装着することができ、その転倒を確実に防止することができる容器転倒防止具を提供することにある。
【課題を解決するための手段】
【０００９】
本発明にかかる容器転倒防止具は、一対の挟持用アームを、支点を中心に開閉自在に接続し、前記両挟持用アームの前記支点よりも先端側部分を挟持部、前記支点よりも末端側部分を把持部として、両把持部間の間隔を狭めることで両挟持部間の間隔を広げる構成とし、前記両挟持用アームを、前記支点を中心に両挟持部の先端が閉じる方向に弾発する弾発手段を設置し、前記両挟持部に、これら挟持部よりも下方に設置されてこれら挟持部によって挟持された容器の転倒を防止する転倒防止用脚部を取り付けたことを特徴としている。
本発明によれば、支点を中心に開閉自在な一対の挟持用アームの挟持部によって容器を挟持する構成なので、両挟持部間の間隔を小さく開くことも大きく開くこともでき、これによって小さなサイズの容器も大きなサイズの容器も容易に保持することができる。さらに弾発手段によって挟持した容器を弾発するので、小さなサイズの容器も大きなサイズの容器もほぼ同じ挟持力で確実に挟持することができる。そして、両挟持部に取り付けた転倒防止用脚部によって、挟持した容器の転倒を確実に防止することができる。
本発明の場合、両転倒防止用脚部による転倒防止を、両挟持部による容器の挟持部分よりも下方の位置において行うので、安定した転倒防止を図ることができる。
これらのことから、多種多様な大きさ、形状、構造の容器に対して、容易且つ確実に装着することができ、その転倒を確実に防止することができる。
【００１０】
また本発明によれば、上記特徴に加えて、前記転倒防止用脚部は、両挟持部を上から見てこれら挟持部よりも左右に張り出していることを特徴としている。
本発明によれば、転倒防止用脚部による転倒防止効果をより効果的に発揮させることができる。
【００１１】
また本発明によれば、上記特徴に加えて、前記両挟持部の対向する内側の辺には、第１の容器保持部が設けられ、さらに前記両挟持部の対向する内側の辺の前記第１の容器保持部の先端側には、前記第１の容器保持部とは形状の異なる第２の容器保持部が設けられていることを特徴としている。
本発明によれば、２つの形状の異なる容器保持部を設けることで、大きさや形状の大きく異なる容器を、それぞれの大きさや形状に合わせた何れかの容器保持部の部分を用いて把持することで、より確実に保持することができ、より確実にその転倒を防止することができる。
【発明の効果】
【００１２】
本発明によれば、多種多様な大きさ、形状、構造の容器に対して、容易且つ確実に装着することができ、その転倒を確実に防止することができる。
【図面の簡単な説明】
【００１３】
【図１】容器転倒防止具１−１を示す平面図である。
【図２】容器転倒防止具１−１を斜め上方から見た斜視図である。
【図３】容器転倒防止具１−１を斜め下方から見た斜視図である。
【図４】容器転倒防止具１−１の使用方法説明図である。
【図５】容器転倒防止具１−１の使用方法説明図である。
【図６】容器転倒防止具１−１の使用方法説明図である。
【図７】容器転倒防止具１−２を示す斜視図である。
【図８】容器転倒防止具１−３を示す斜視図である。
【図９】容器転倒防止具１−３の使用方法説明図である。
【発明を実施するための形態】
【００１４】
以下、本発明の実施形態を、図面を参照して詳細に説明する。
図１乃至図３は、本発明の第１実施形態にかかる容器転倒防止具１−１を示す図であり、図１は平面図、図２は斜め上方から見た斜視図、図３は斜め下方から見た斜視図である。これらの図において示されている容器転倒防止具１−１の左側を先端側、右側を末端側ということとする。
【００１５】
これらの図に示すように容器転倒防止具１−１は、一対の挟持用アーム１０，３０を、支点Ｓ１を中心に開閉自在に接続し、また前記一対の挟持用アーム１０，３０の下記する両把持部１３，３３の先端が閉じる方向に弾発する弾発手段６０を設置して構成されている。
【００１６】
両挟持用アーム１０，３０は、図１の中心線Ｌ１に対して線対称な形状であり、何れも、中心線Ｌ１に沿う方向に向かって長尺に形成されている。両挟持用アーム１０，３０の前記支点Ｓ１よりも先端側部分（図１の左側部分）を挟持部１１，３１、前記支点Ｓ１よりも末端側部分（図１の右側部分）を把持部１３，３３としている。
【００１７】
挟持部１１，３１は、支点Ｓ１側の第１挟持部１１１，３１１と、先端側の第２挟持部１１３，３１３とを有している。第１挟持部１１１，３１１は、両挟持部１１，３１が対向する側の面を凹状にし、この凹状部分を第１の容器保持部１１５，３１５としている。第２挟持部１１３，３１３も、両挟持部１１，３１が対向する側の面を凹状にし、この凹状部分を第２の容器保持部１１７，３１７としている。第１の容器保持部１１５，３１５は、第２の容器保持部１１７，３１７よりも大きな凹部となっており、これによって、図１，図２に示すように、両挟持部１１，３１を閉じたときに、第１の容器保持部１１５，３１５が形成する開口は、第２の容器保持部１１７，３１７が形成する開口よりもかなり大きくなるように構成している。
【００１８】
両挟持部１１，３１の先端の外周側面からは、それぞれ略Ｌ字状であってその先端が下方向を向く第１連結部１５，３５が接続され、また両挟持部１１，３１の中間部分の外周側面からも、それぞれ略Ｌ字状であってその先端が下方向を向く第２連結部１７，３７が接続され、これら連結部１５，１７，３５，３７の先端（下端）に、それぞれ転倒防止用脚部２１，４１（その上面）を取り付けている。転倒防止用脚部２１，４１は平板状であって、前記両挟持部１１，３１よりも下方に設置されている。転倒防止用脚部２１，４１は、両挟持部１１，３１を上から見てこれら両挟持部１１，３１よりも左右に張り出し且つ両挟持部１１，３１に沿うように形成・配置されている。言い換えれば、両挟持部１１，３１を閉じたときに、両転倒防止用脚部２１，４１が、両挟持部１１，３１よりも外側の位置で、略Ｕ字状（又は略Ｖ字状）になるように形成されている。
【００１９】
一方、両把持部１３，３３は、前記両挟持部１１，３１の末端側にこれら両挟持部１１，３１と一体に形成され、支点Ｓ１側から末端方向に向けて両把持部１３，３３が広がるように、略棒状の形状に形成されている。これら一対の把持部１３，３３は、両者の間隔を狭めることで両挟持部１１，３１間の間隔を広げる構成となっている。
【００２０】
弾発手段６０は、弾性棒状体を、略コ字状に屈曲して構成されており、その両先端側部分６１，６３をそれぞれ両挟持用アーム１０，３０の支点Ｓ１近傍部分に係止し、これによって両挟持用アーム１０，３０を、支点Ｓ１を中心に両挟持部１１，３１の先端が閉じる方向（両把持部１３，３３の末端側が開く方向）に弾発するように取り付けられている。なお、弾発手段６０は上記構成のものに限定されず、コイルバネ、板バネ、弾性ゴムなど、他の各種弾発手段で構成してもよい。
【００２１】
以上のように構成された容器転倒防止具１−１は、その転倒防止用脚部２１，４１の下面がテーブルなどの載置部材上に載置される。転倒防止用脚部２１，４１は、両挟持用アーム１０，３０の両挟持部１１，３１よりも外方に向けて左右に張り出しているので、安定して載置部材上に載置される。
【００２２】
次に、容器転倒防止具１−１の使用方法を説明する。まず、この容器転倒防止具１−１と、シャンプーや液体洗剤等の液体が空になった詰替え容器Ａ（下記する図５参照）と、当該詰替え容器Ａ内に液体を充填する（詰替える）ための図示しない詰替え用袋とを用意する。なお図５に示す詰替え容器Ａは、この例では、キャップＡ１がそのまま計量カップとして機能する洗濯用洗剤の容器Ａであるとする。
【００２３】
次に、図４に示すように、前記弾発手段６０の弾発力に抗して、両把持部１３，３３間の間隔が狭まるように、両把持部１３，３３を指などによって挟持することで、支点Ｓ１を中心にして、両挟持部１１，３１間の間隔を開く。
【００２４】
そして、図５に示すように、前記空になった詰替え容器Ａを、両挟持部１１，３１の第１の容器保持部１１５，３１５間に挿入した後、前記両把持部１３，３３に対する挟持を解除する。このとき、両挟持部１１，３１による詰替え容器Ａの挟持位置を、詰替え容器Ａの下部とし、詰替え容器Ａの底面と両転倒防止用脚部２１，４１の底面とが同一面上に位置するようにする。これによって、容器転倒防止具１−１の詰替え容器Ａへの装着が完了する。
【００２５】
以上のように容器転倒防止具１−１を詰替え容器Ａに取り付けると、空になって軽くなった詰替え容器Ａであっても、容器転倒防止具１−１の転倒防止用脚部２１，４１によってその下部が支えられ、容易には転倒したり、傾いたり、移動したりしなくなる。
【００２６】
そしてこの状態で、前記詰替え容器ＡのキャップＡ１を取り外し、図示しない詰替え用袋から、当該詰替え容器Ａの注入口に液体を注ぎ込む。このとき上述のように、詰替え容器Ａはこれを手で支えなくても転倒することがなく、定位置に停止した状態を保つので、前記詰替え用袋を両手で持って液体を慎重に注ぐことができる。このため、詰替え容器Ａへの液体の充填（詰替え）を容易且つ確実に行うことができる。
【００２７】
一方、前記詰替え容器Ａよりも細い詰替え容器Ｂの場合は、図６に示すように、第２の容器保持部１１７，３１７によって、これを挟持する。この場合も、上記詰替え容器Ａを保持した場合と同様の作用・効果を生じる。
【００２８】
この容器転倒防止具１−１のように、２つの形状の異なる第１の容器保持部１１５，３１５と第２の容器保持部１１７，３１７とを設けておけば、大きさや形状の大きく異なる詰替え容器Ａ，Ｂを、それぞれの大きさや形状に合致する何れかの容器保持部１１５，３１５または１１７，３１７の部分を用いて把持することで、より確実に保持することができ、より確実にその転倒を防止することができる。
【００２９】
図７は、本発明の第２実施形態にかかる容器転倒防止具１−２を示す斜視図である。同図に示す容器転倒防止具１−２において、前記図１〜図６に示す容器転倒防止具１−１と同一又は相当部分には同一符号を付す。なお以下で説明する事項以外の事項については、前記図１〜図６に示す容器転倒防止具１−１と同じである。
【００３０】
容器転倒防止具１−２において、前記容器転倒防止具１−１と相違する点は、容器保持部１１５，３１５を１組のみとした点である。このように構成すれば、挟持できる容器のサイズは容器転倒防止具１−１よりも制限されるが、その代わりに、容器転倒防止具１−２の長さ方向の寸法を短くでき、コンパクト化を図ることができる。
【００３１】
図８は、本発明の第３実施形態にかかる容器転倒防止具１−３を示す斜視図である。同図に示す容器転倒防止具１−３において、前記図１〜図６に示す容器転倒防止具１−１と同一又は相当部分には同一符号を付す。なお以下で説明する事項以外の事項については、前記図１〜図６に示す容器転倒防止具１−１と同じである。
【００３２】
容器転倒防止具１−３において、前記容器転倒防止具１−１と相違する点は、一方の挟持部３１側、具体的にこの例では挟持部３１に取り付けた転倒防止用脚部４１の外周側面に、キャップ載置部５１を取り付けた点である。キャップ載置部５１は、略長方形状の板状体からなる載置本体部５３と、載置本体部５３の一端近傍に回動自在に取り付けられたチューブ保持部５５とを具備して構成されている。
【００３３】
載置本体部５３は、略長方形状の板状体であって、ポンプ式の詰替え容器の、取り外したキャップ側部分を載置するものであり、その上面の先端側には上方向に突出するストッパー部５７が形成されている。載置本体部５３の反対側の端部には、前記チューブ保持部５５の一端を回動自在に支持する支持部５９が形成されている。載置本体部５３の下面は、前記転倒防止用脚部４１の下面と同一面となっている。
【００３４】
チューブ保持部５５は、略長方形状の板状体であり、支持部５９の反対側の端辺を凹状に湾曲させたチューブ載置部６１としている。チューブ保持部５５は、支持部５９を中心にして載置本体部５３側に向けて回動することで、載置本体部５３の上面にこれを塞ぐように畳むことができ、一方、支持部５９を中心にして載置本体部５３から離れる方向に回動することで、図８に示す上方に立ち上がった位置で停止する構造に構成されている。
【００３５】
以上のように構成されている容器転倒防止具１−３において、不使用時は、チューブ保持部５５を載置本体部５３上に折り畳んでおくことで、コンパクト化を図る。
【００３６】
一方、この容器転倒防止具１−３を用いて、空になったポンプ式の詰替え容器（図示せず）への液体の詰替えを行う場合は、まず、チューブ保持部５５を載置本体部５３上に、図８に示すように開く。次に、前記詰替え容器のキャップＡ２を取り外し、図９に示すように取り外したキャップＡ２をチューブ保持部５５上に載置する。キャップＡ２には、その上方にノズルＡ３やレバーＡ４などが取り付けられ、その下方にチューブＡ５などが一体に取り付けられている。そしてチューブ保持部５５上に載置する場合は、ノズルＡ３などを設けた上端側をストッパー部５７に係止し、反対側のチューブＡ５を前記チューブ載置部６１上に載置する。
【００３７】
この状態で、前記容器転倒防止具１−１の場合と同様に、空になった詰替え容器（図示せず）を、両挟持部１１，３１によって挟持する。その際、上記容器転倒防止具１−１と同様に、詰替え容器の底面と両転倒防止用脚部２１，４１の底面とが同一面上に位置するようにするが、同時に載置本体部５３の下面も同一面上に位置するので、詰替え容器の転倒防止効果が増大する。これによって、空になって軽くなった詰替え容器であっても、容器転倒防止具１−３の転倒防止用脚部２１，４１及び載置本体部５３によってその下部が支えられ、容易には転倒したり、傾いたり、移動したりしなくなる。これによって図示しない詰替え用袋から、詰替え容器の注入口への液体の充填（詰替え）を容易且つ確実に行うことができる。
【００３８】
なお、上記キャップ載置部５１の上には、ポンプ式の詰替え容器用のキャップＡ２ばかりでなく、計量カップとして機能するキャップなど、他の各種キャップを載置してもよい。その場合、キャップ載置部の形状、構造は、載置するキャップの形状、構造などに合わせて種々変更することが好ましい。
【００３９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記第１，第３実施形態にかかる容器転倒防止具１−１，１−３においては、第１の容器保持部１１５，３１５と第２の容器保持部１１７，３１７を有し、第１の容器保持部１１５，３１５を第２の容器保持部１１７，３１７よりも大きな凹部とし、これによって、両挟持部１１，３１を閉じたときに、第１の容器保持部１１５，３１５が形成する開口を、第２の容器保持部１１７，３１７が形成する開口よりも大きくなるように構成したが、逆に第２の容器保持部１１７，３１７が形成する開口を、第１の容器保持部１１５，３１５が形成する開口よりも大きくなるように構成してもよい。また第１，第２の容器保持部１１５，３１５及び１１７，３１７の形状が上記実施形態の形状以外の各種形状であってもよく、要は、両者の形状が異なるものであればどのような形状であってもよい。また例えば、転倒を防止しようとする容器は、詰替え容器に限らず、他の各種容器であってもよい。
【００４０】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００４１】
Ａ  容器
１−１，１−２，１−３  容器転倒防止具
１０，３０  挟持用アーム
１１，３１  挟持部
１１５，３１５  第１の容器保持部（容器保持部）
１１７，３１７  第２の容器保持部（容器保持部）
１３，３３  把持部
２１，４１  転倒防止用脚部
６０  弾発手段
Ｓ１  支点
５１  キャップ載置部
５３  載置本体部
５５  チューブ保持部
【図１】
2020121743.tif 000003
【図２】
2020121743.tif 000004
【図３】
2020121743.tif 000005
【図４】
2020121743.tif 000006
【図５】
2020121743.tif 000007
【図６】
2020121743.tif 000008
【図７】
2020121743.tif 000009
【図８】
2020121743.tif 000010
【図９】
2020121743.tif 000011